【手続補正書】
【提出日】平成23年6月28日(2011.6.28)
【手続補正１】
【補正対象書類名】特許請求の範囲
【補正対象項目名】全文
【補正方法】変更
【補正の内容】
【特許請求の範囲】
【請求項１】
第１筐体部材と、
第２筐体部材と、
前記第１筐体部材と前記第２筐体部材とを連結するヒンジ部と、を有し、
前記ヒンジ部は、
前記第１筐体部材を前記第２筐体部材に対して回動する第１回動軸部材と、
前記第１筐体部材を前記第２筐体部材に対して前記第１回動軸部材を軸とした回動方向と直交する方向に回動する第２回動軸部材と、
前記第１回動軸部材を覆うカバー部材と、を備え、
前記カバー部材は、第１カバー部材と第２カバー部材とを有し、
前記第１カバー部材と前記第２カバー部材とを挿通するネジにより、前記第１カバー部材と前記第２カバー部材と前記第１回動軸部材とが固定されることを特徴とする通信端末。
【請求項２】
第１筐体部材と、
第２筐体部材と、
前記第１筐体部材と前記第２筐体部材とを連結するヒンジ部と、を有し、
前記ヒンジ部は、
前記第２筐体部材を前記第１筐体部材に対して回動する第１回動軸部材と、
前記第２筐体部材を前記第１筐体部材に対して前記第１回動軸部材を軸とした回動方向と直交する方向に回動する第２回動軸部材と、
前記第１回動軸部材を覆うカバー部材と、を備え、
前記カバー部材は、第１カバー部材と第２カバー部材とを有し、
前記第１カバー部材と前記第２カバー部材とを挿通するネジにより、前記第１カバー部材と前記第２カバー部材と前記第１回動軸部材とが固定されることを特徴とする通信端末。
【請求項３】
第１筐体部材と、
第２筐体部材と、
前記第１筐体部材と前記第２筐体部材とを連結するヒンジ部と、を有し、
前記ヒンジ部は、
前記第１筐体部材を前記第２筐体部材に対して回動する第１回動軸部材と、
前記第１筐体部材を前記第２筐体部材に対して前記第１回動軸部材を軸とした回動方向と直交する方向に回動する第２回動軸部材と、
前記第１回動軸部材を覆うカバー部材と、を備え、
前記カバー部材は、第１カバー部材と第２カバー部材とを有し、
前記第１カバー部材と前記第２カバー部材と前記第１回動軸部材とが同一のネジで固定されることを特徴とする通信端末。
【請求項４】
第１筐体部材と、
第２筐体部材と、
前記第１筐体部材と前記第２筐体部材とを連結するヒンジ部と、を有し、
前記ヒンジ部は、
前記第２筐体部材を前記第１筐体部材に対して回動する第１回動軸部材と、
前記第２筐体部材を前記第１筐体部材に対して前記第１回動軸部材を軸とした回動方向と直交する方向に回動する第２回動軸部材と、
前記第１回動軸部材を覆うカバー部材と、を備え、
前記カバー部材は、第１カバー部材と第２カバー部材とを有し、
前記第１カバー部材と前記第２カバー部材と前記第１回動軸部材とが同一のネジで固定されることを特徴とする通信端末。
【請求項５】
第１筐体部材と、
第２筐体部材と、
前記第１筐体部材と前記第２筐体部材とを連結するヒンジ部と、を有し、
前記ヒンジ部は、
前記第１筐体部材を前記第２筐体部材に対して回動する第１回動軸部材と、
前記第１筐体部材を前記第２筐体部材に対して前記第１回動軸部材を軸とした回動方向と直交する方向に回動する第２回動軸部材と、
前記第１回動軸部材を覆うカバー部材と、を備え、
前記カバー部材は、第１カバー部材と第２カバー部材とを有し、
前記第１カバー部材と前記第２カバー部材と前記第１回動軸部材とが１組のネジにより固定され、
前記１組のネジは、前記第２回動軸部材を挟んで配置されることを特徴とする通信端末。
【請求項６】
第１筐体部材と、
第２筐体部材と、
前記第１筐体部材と前記第２筐体部材とを連結するヒンジ部と、を有し、
前記ヒンジ部は、
前記第２筐体部材を前記第１筐体部材に対して回動する第１回動軸部材と、
前記第２筐体部材を前記第１筐体部材に対して前記第１回動軸部材を軸とした回動方向と直交する方向に回動する第２回動軸部材と、
前記第１回動軸部材を覆うカバー部材と、を備え、
前記カバー部材は、第１カバー部材と第２カバー部材とを有し、
前記第１カバー部材と前記第２カバー部材と前記第１回動軸部材とが１組のネジにより固定され、
前記１組のネジは、前記第２回動軸部材を挟んで配置されることを特徴とする通信端末。
【請求項７】
前記１組のネジの前記第１カバー部材と前記第２カバー部材と前記第１回動軸部材とを挿通する各方向は同じであることを特徴とする請求項５又は６に記載の通信端末。
【請求項８】
前記第１カバー部材は、前記ネジが挿通される第１ネジ穴を有し、
前記第２カバー部材は、前記ネジが挿通される第２ネジ穴を有し、
前記第１ネジ穴と前記第２ネジ穴とは、前記第１カバー部材と前記第２カバー部材とが係合したときに重なることを特徴とする請求項１〜７のいずれか一項に記載の通信端末。
【請求項９】
前記第１カバー部材は、前記ネジが挿通される第１ネジ穴を有し、
前記第２カバー部材は、前記ネジが挿通される第２ネジ穴を有し、
前記第１ネジ穴及び前記第２ネジ穴には同一のネジが挿通することを特徴とする請求項１〜７のいずれか一項に記載の通信端末。
【請求項１０】
前記第１ネジ穴及び前記第２ネジ穴は、前記第１筐体部材が前記第２筐体部材に対して閉じた状態のとき前記第１筐体部材の端面と対向する面に設けられたことを特徴とする請求項８又は９に記載の通信端末。
【請求項１１】
前記第１ネジ穴及び前記第２ネジ穴は、前記第１筐体部材と前記第２筐体部材とが前記第２回動軸部材を中心に回動した際に露呈される位置に設けられたことを特徴とする請求項８又は９に記載の通信端末。
【請求項１２】
前記第１カバー部材及び前記第２カバー部材の前記第１の軸方向の各断面は、略半円形状の凹部を有することを特徴とする請求項１〜１１のいずれか一項に記載の通信端末。
【請求項１３】
前記第１カバー部材及び前記第２カバー部材の前記第１の軸方向の断面の各切り欠き部が略半円形状であることを特徴とする請求項１〜１１のいずれか一項に記載の通信端末。
【手続補正２】
【補正対象書類名】明細書
【補正対象項目名】００１４
【補正方法】変更
【補正の内容】
【００１４】
本発明は、第１筐体部材と、第２筐体部材と、前記第１筐体部材と前記第２筐体部材とを連結するヒンジ部と、を有し、前記ヒンジ部は、前記第１筐体部材を前記第２筐体部材に対して回動する第１回動軸部材と、前記第１筐体部材を前記第２筐体部材に対して前記第１回動軸部材を軸とした回動方向と直交する方向に回動する第２回動軸部材と、前記第１回動軸部材を覆うカバー部材と、を備え、前記カバー部材は、第１カバー部材と第２カバー部材とを有し、前記第１カバー部材と前記第２カバー部材とを挿通するネジにより、前記第１カバー部材と前記第２カバー部材と前記第１回動軸部材とが固定される通信端末を提供する。
また、本発明は、第１筐体部材と、第２筐体部材と、前記第１筐体部材と前記第２筐体部材とを連結するヒンジ部と、を有し、前記ヒンジ部は、前記第２筐体部材を前記第１筐体部材に対して回動する第１回動軸部材と、前記第２筐体部材を前記第１筐体部材に対して前記第１回動軸部材を軸とした回動方向と直交する方向に回動する第２回動軸部材と、前記第１回動軸部材を覆うカバー部材と、を備え、前記カバー部材は、第１カバー部材と第２カバー部材とを有し、前記第１カバー部材と前記第２カバー部材とを挿通するネジにより、前記第１カバー部材と前記第２カバー部材と前記第１回動軸部材とが固定される通信端末を提供する。
【手続補正３】
【補正対象書類名】明細書
【補正対象項目名】００１５
【補正方法】変更
【補正の内容】
【００１５】
本発明は、第１筐体部材と、第２筐体部材と、前記第１筐体部材と前記第２筐体部材とを連結するヒンジ部と、を有し、前記ヒンジ部は、前記第１筐体部材を前記第２筐体部材に対して回動する第１回動軸部材と、前記第１筐体部材を前記第２筐体部材に対して前記第１回動軸部材を軸とした回動方向と直交する方向に回動する第２回動軸部材と、前記第１回動軸部材を覆うカバー部材と、を備え、前記カバー部材は、第１カバー部材と第２カバー部材とを有し、前記第１カバー部材と前記第２カバー部材と前記第１回動軸部材とが同一のネジで固定される通信端末を提供する。
また、本発明は、第１筐体部材と、第２筐体部材と、前記第１筐体部材と前記第２筐体部材とを連結するヒンジ部と、を有し、前記ヒンジ部は、前記第２筐体部材を前記第１筐体部材に対して回動する第１回動軸部材と、前記第２筐体部材を前記第１筐体部材に対して前記第１回動軸部材を軸とした回動方向と直交する方向に回動する第２回動軸部材と、前記第１回動軸部材を覆うカバー部材と、を備え、前記カバー部材は、第１カバー部材と第２カバー部材とを有し、前記第１カバー部材と前記第２カバー部材と前記第１回動軸部材とが同一のネジで固定される通信端末を提供する。
【手続補正４】
【補正対象書類名】明細書
【補正対象項目名】００１６
【補正方法】変更
【補正の内容】
【００１６】
本発明は、第１筐体部材と、第２筐体部材と、前記第１筐体部材と前記第２筐体部材とを連結するヒンジ部と、を有し、前記ヒンジ部は、前記第１筐体部材を前記第２筐体部材に対して回動する第１回動軸部材と、前記第１筐体部材を前記第２筐体部材に対して前記第１回動軸部材を軸とした回動方向と直交する方向に回動する第２回動軸部材と、前記第１回動軸部材を覆うカバー部材と、を備え、前記カバー部材は、第１カバー部材と第２カバー部材とを有し、前記第１カバー部材と前記第２カバー部材と前記第１回動軸部材とが１組のネジにより固定され、前記１組のネジは、前記第２回動軸部材を挟んで配置される通信端末を提供する。
また、本発明は、第１筐体部材と、第２筐体部材と、前記第１筐体部材と前記第２筐体部材とを連結するヒンジ部と、を有し、前記ヒンジ部は、前記第２筐体部材を前記第１筐体部材に対して回動する第１回動軸部材と、前記第２筐体部材を前記第１筐体部材に対して前記第１回動軸部材を軸とした回動方向と直交する方向に回動する第２回動軸部材と、前記第１回動軸部材を覆うカバー部材と、を備え、前記カバー部材は、第１カバー部材と第２カバー部材とを有し、前記第１カバー部材と前記第２カバー部材と前記第１回動軸部材とが１組のネジにより固定され、前記１組のネジは、前記第２回動軸部材を挟んで配置される通信端末を提供する。
【手続補正５】
【補正対象書類名】明細書
【補正対象項目名】００１７
【補正方法】変更
【補正の内容】
【００１７】
上記通信端末では、前記１組のネジの前記第１カバー部材と前記第２カバー部材と前記第１回動軸部材とを挿通する各方向は同じである。
【手続補正６】
【補正対象書類名】明細書
【補正対象項目名】００１８
【補正方法】変更
【補正の内容】
【００１８】
上記通信端末では、前記第１カバー部材は、前記ネジが挿通される第１ネジ穴を有し、前記第２カバー部材は、前記ネジが挿通される第２ネジ穴を有し、前記第１ネジ穴と前記第２ネジ穴とは、前記第１カバー部材と前記第２カバー部材とが係合したときに重なる。
【手続補正７】
【補正対象書類名】明細書
【補正対象項目名】００１９
【補正方法】変更
【補正の内容】
【００１９】
上記通信端末では、前記第１カバー部材は、前記ネジが挿通される第１ネジ穴を有し、前記第２カバー部材は、前記ネジが挿通される第２ネジ穴を有し、前記第１ネジ穴及び前記第２ネジ穴には同一のネジが挿通する。
【手続補正８】
【補正対象書類名】明細書
【補正対象項目名】００２０
【補正方法】変更
【補正の内容】
【００２０】
上記通信端末では、前記第１ネジ穴及び前記第２ネジ穴は、前記第１筐体部材が前記第２筐体部材に対して閉じた状態のとき前記第１筐体部材の端面と対向する面に設けられている。
【手続補正９】
【補正対象書類名】明細書
【補正対象項目名】００２１
【補正方法】変更
【補正の内容】
【００２１】
上記通信端末では、前記第１ネジ穴及び前記第２ネジ穴は、前記第１筐体部材と前記第２筐体部材とが前記第２回動部材を中心に回動した際に露呈される位置に設けられている。
【手続補正１０】
【補正対象書類名】明細書
【補正対象項目名】００２２
【補正方法】変更
【補正の内容】
【００２２】
上記通信端末では、前記第１カバー部材及び前記第２カバー部材の前記第１の軸方向の各断面は、略半円形状の凹部を有する。
【手続補正１１】
【補正対象書類名】明細書
【補正対象項目名】００２３
【補正方法】変更
【補正の内容】
【００２３】
上記通信端末では、前記第１カバー部材及び前記第２カバー部材の前記第１の軸方向の断面の各切り欠き部が略半円形状である。